(57)【要約】      （修正有）【課題】取り付け先との組み合わせによって、より高い趣興性を発揮することができ、しかも、邪魔になり難い装飾具を提供する。【解決手段】キャラクターの頭部を含む上半身の一部に加え、更に、キャラクターが備える左右の手１１，１１をプレート２上に描く。開閉式クリップ３の接続部８を通って開閉式クリップ３の長手方向と直交する仮想直線のうちプレート２の面と平行となる仮想直線Ｌをプレート２の前面に其の法線方向から投影して得られる仮想線分上の位置に左右の手１１，１１を描くことで、装飾具１をポケットに取り付け状態、つまり、開閉式クリップ３の接続部８を洋服やバッグのポケットの上縁部に当接させた状態で、あたかも、プレート２の前面に描かれたキャラクターがポケットの上縁部に手１１，１１で掴って顔や上半身を覗かせたような状態を表現できる構成とした。【選択図】図１
0003194826.tif 000002
【実用新案登録請求の範囲】
【請求項１】
キャラクターを描いたプレートと前記プレートを他の物品に取り付けるための開閉式クリップとによって構成される装飾具であって、
前記プレートの前面に、前記キャラクターの少なくとも頭部を含む上半身の一部が描かれると共に、
前記開閉式クリップは、前記プレートの裏面に固着される固定部と、前記固定部に対して開閉自在に設けられて其の先端を前記プレートの裏面に向けて付勢された可動部と、前記可動部を前記固定部に接続する接続部とを備えて前記可動部の先端を前記プレートの下方側に向けて前記プレートの裏面に固着され、
前記プレートの前面には、更に、前記開閉式クリップの前記接続部を通って前記開閉式クリップの長手方向と直交する仮想直線のうち前記プレートの面と平行となる仮想直線を前記プレートの前面に其の法線方向から投影して得られる仮想線分上の位置に、前記キャラクターの少なくとも１つの手が、前記他の物品の上縁部を掴むような姿勢で描かれていることを特徴とする装飾具。
【請求項２】
前記仮想線分上に位置をずらせて前記キャラクターの２つの手が描かれていることを特徴とする請求項１記載の装飾具。
【請求項３】
前記プレートは、前記キャラクターの少なくとも頭部を含む上半身の一部や其の手を描いた上部プレート部と、前記キャラクターに関連する付加要素を描いた下部プレート部によって上下一体に形成され、
前記開閉式クリップは、前記接続部の位置を、前記プレートにおける上部プレート部と下部プレート部との連合部の位置に合致させるようにして前記プレートの裏面に固着されていることを特徴とする請求項１または請求項２に記載の装飾具。
【請求項４】
前記下部プレート部には、前記キャラクターに関連するフレーズを記載した吹き出しが描かれていることを特徴とする請求項３記載の装飾具。
【請求項５】
前記下部プレート部には、前記キャラクターが首周りに備える装身具が描かれていることを特徴とする請求項３記載の装飾具。
【考案の詳細な説明】
【技術分野】
【０００１】
本考案は、キャラクターを描いたプレートと前記プレートを他の物品に取り付けるための開閉式クリップとによって構成される装飾具に関する。
【背景技術】
【０００２】
プレートとクリップで構成される装飾具が一般に広く利用されている。プレートに描かれる図柄としては、小説，漫画，映画，アニメーション，コンピュータゲームなどに登場する主要なキャラクターの全身像が一般的であるが、そのキャラクターの最も特徴的な部分である頭部を含む上半身顔や頭部のみを図柄として用いることも多い。
【０００３】
この種のプレートを洋服のポケットなどを始めとする他の物品に取り付けるための手段としては、プレートの裏面に植設したピンを洋服のポケットなどに貫通させた上でピンの先端部に着脱可能なストッパーを取り付けてプレートを洋服のポケットなどに固定するピン＆ストッパ式のものや安全ピン式のもの、更に、プレートの裏面に固着された固定部，固定部に対して開閉自在に設けられて其の先端をプレートの裏面に向けて付勢された可動部，可動部を固定部に接続する接続部を備えた開閉式のクリップなどが慣用的に利用されている。
【０００４】
ピン＆ストッパ式のものや安全ピン式の装飾具は取り付け対象となる洋服などの任意位置への取り付けが可能となるメリットがあるが、破れを生じ易い紙素材などへの取り付けは困難である。
【０００５】
開閉式のクリップを利用したものは、その取り付け箇所が洋服やバッグの外ポケットあるいはバッグ本体などの開口部に制限されるが、紙素材などを損傷させる恐れがないため、使用中の単票用紙などに取り付けて文鎮の代わりとして利用することが可能であり、更には、紙を挟んでノートやルーズリーフなどのしおりとして利用することも可能となるメリットがある。
【０００６】
なお、安全ピンや開閉式のクリップを利用してプレートを洋服のポケットなどに取り付ける構造それ自体は、既に、特許文献１〜３などに開示されるように公知である。
【先行技術文献】
【特許文献】
【０００７】
【特許文献１】特開２００５−３３８２３９号公報
【特許文献２】特開２００５−１８１７８０号公報
【特許文献３】実用新案登録第３１４３７７９号
【考案の概要】
【考案が解決しようとする課題】
【０００８】
従来型の此の種の装飾具は、要するに、漫画，映画，アニメーションなどに登場する主要なキャラクターあるいはお気に入りのキャラクターなどを常に身近に置きたいとするユーザーのニーズに応えたものに過ぎず、装飾具を取り付け対象に装着しても、単に、キャラクターを描いたプレートが其の場所に存在するというだけで、それ以上の付加価値、たとえば、面白みは生じない。
【０００９】
また、フェルト製の小さな人形状のキャラクターグッズなどをポケットに入れてキャラクターの顔を外に覗かせるといったファッションも一部で流行したようであるが、その場合、人形を入れたポケットに他の物を入れられなくなるといった不都合が生じる。
【００１０】
そこで、本考案の目的は、その取り付け先との組み合わせによって、より高い趣興性を発揮することができ、しかも、邪魔になり難い装飾具を提供することにある。
【課題を解決するための手段】
【００１１】
本考案の装飾具は、キャラクターを描いたプレートと前記プレートを他の物品に取り付けるための開閉式クリップとによって構成される装飾具であって、
前記プレートの前面に、前記キャラクターの少なくとも頭部を含む上半身の一部が描かれると共に、
前記開閉式クリップは、前記プレートの裏面に固着される固定部と、前記固定部に対して開閉自在に設けられて其の先端を前記プレートの裏面に向けて付勢された可動部と、前記可動部を前記固定部に接続する接続部とを備えて前記可動部の先端を前記プレートの下方側に向けて前記プレートの裏面に固着され、
前記プレートの前面には、更に、前記開閉式クリップの前記接続部を通って前記開閉式クリップの長手方向と直交する仮想直線のうち前記プレートの面と平行となる仮想直線を前記プレートの前面に其の法線方向から投影して得られる仮想線分上の位置に、前記キャラクターの少なくとも１つの手が、前記他の物品の上縁部を掴むような姿勢で描かれていることを特徴とする構成を有する。
【００１２】
以上の構成において、装飾具を他の物品たとえば洋服やバッグのポケットなどに装着する場合は、開閉式クリップの接続部を支点として開閉式クリップの可動部を手の力で開き、プレートの前面つまりキャラクターの頭部を含む上半身の一部を描いた側の面をポケットなどの外側に向けた状態で、開閉式クリップの接続部が洋服やバッグのポケットなどの上縁部に当接する位置まで、開閉式クリップの可動部の先端を上から下に向けてポケットなどの内側に突入させて手を放し、プレートに固着された開閉式クリップの固定部とプレートの裏面に向けて付勢された開閉式クリップの可動部との間でポケットなどの布を挟むようにして装飾具をポケットなどに取り付ける。
プレートの前面には、キャラクターの頭部を含む上半身の一部に加え、キャラクターの少なくとも１つの手が他の物品たとえば洋服やバッグのポケットなどの上縁部を掴むような姿勢で描かれているが、この手は、開閉式クリップの接続部を通って開閉式クリップの長手方向と直交する仮想直線のうちプレートの面と平行となる仮想直線をプレートの前面に其の法線方向から投影して得られる仮想線分上の位置に描かれているので、装飾具をポケットなどに取り付けて開閉式クリップの接続部を洋服やバッグのポケットなどの上縁部に当接させた状態では、前述の仮想線分がポケットなどの上縁部と一致した状態となり、装飾具を其の前面から見ると、あたかも、プレートの前面に描かれたキャラクターがポケットなどの上縁部に手で掴って顔や上半身を覗かせたような状態が容易に表現される。つまり、前記構成を採用することによって、開閉式クリップの接続部がポケットなどの上縁部に当接する位置まで開閉式クリップの可動部の先端をポケットなどの内側に突入させるといった極めて簡単な操作によって、プレートの前面に描かれたキャラクターがポケットなどの上縁部に掴って顔や上半身を覗かせた状態を容易に表現することができるようになる。
また、開閉式クリップの主要部すなわち接続部から可動部の先端までの区間の可動部が確実にポケットの布などを挟み込むので、キャラクターの頭部を含む上半身の一部やキャラクターの手を描いたプレートが不用意に手前側に倒れ込むことはない。
しかも、装飾具の取り付けに際してポケットなどの内側に侵入させる必要があるのは、開閉式クリップの可動部における接続部から其の先端までの区間に過ぎないので、ポケットなどの収容能力が損なわれる恐れもない。
【００１３】
前記プレートには、プレートの前面の前記仮想線分上で位置をずらせるようにしてキャラクターの２つの手を描くようにしてもよい。
【００１４】
このような構成を適用した場合にあっては、プレートの前面に描かれたキャラクターがポケットなどの上縁部に左右の手で掴って顔や上半身を覗かせたような状態が表現されることになる。
【００１５】
更に、前記プレートが、前記キャラクターの少なくとも頭部を含む上半身の一部や其の手を描いた上部プレート部と、前記キャラクターに関連する付加要素を描いた下部プレート部によって上下一体に形成され、
前記開閉式クリップが、前記接続部の位置を、前記プレートにおける上部プレート部と下部プレート部との連合部の位置に合致させるようにして前記プレートの裏面に固着された構成を提案する。
【００１６】
このような構成を適用した場合にあっては、開閉式クリップの接続部がキャラクターの頭部を含む上半身の一部や其の手を描いた上部プレート部とキャラクターに関連する付加要素を描いた下部プレート部との連合部の位置に合致し、装飾具をポケットなどに取り付けた状態、つまり、開閉式クリップの接続部をポケットなどの上縁部に当接させた状態で、キャラクターの頭部を含む上半身の一部を描いた上部プレート部がポケットなどの上縁部の直近の上方に確実に位置するようになるので、キャラクターがポケットなどの陰から顔や上半身を覗かせたような状態を、より的確に表現することができるようになる。
また、装飾具を正面側から見た状態で、接続部よりも上方の開閉式クリップの部分が、キャラクターの頭部を含む上半身の一部や其の手を描いた上部プレート部によって隠され、更に、接続部よりも下方の開閉式クリップの部分は、キャラクターに関連する付加要素を描いた下部プレート部によって隠されることになるので、見映えの悪い開閉式クリップを露出させることなく、装飾具を洋服やバッグのポケットあるいは開口部などにスマートに装着することができる。
【００１７】
キャラクターに関連する付加要素を描く下部プレート部には、前記キャラクターに関連するフレーズを記載した吹き出し、または、前記キャラクターが首周りに備える装身具、例えば、ネクタイ，ペンダント，キャラクターが動物である場合の首輪などが描かれていることが望ましい。
【００１８】
キャラクターに関連するフレーズを記載した吹き出し，キャラクターが首周りに備える装身具（ネクタイ，ペンダント，キャラクターが動物である場合の首輪など）はキャラクターの頭部を含む上半身の一部との一体感があるので、接続部よりも下方の開閉式クリップの部分を、下部プレート部によって違和感なく隠すことができる。
【考案の効果】
【００１９】
本考案の装飾具は、キャラクターの頭部を含む上半身の一部をプレートの前面に描くと共に、プレートを他の物品に取り付ける開閉式クリップの接続部を通って開閉式クリップの長手方向と直交する仮想直線のうちプレートの面と平行となる仮想直線をプレートの前面に其の法線方向から投影して得られる仮想線分上の位置に、他の物品の上縁部を掴むような姿勢でキャラクターの少なくとも１つの手を描いているので、装飾具を取り付ける操作、つまり、開閉式クリップの接続部がポケットなどの上縁部に当接する位置まで開閉式クリップの可動部の先端をポケットなどの内側に突入させるといった極めて簡単な操作によって、プレートの前面に描かれたキャラクターがポケットなどの上縁部に掴って顔や上半身を覗かせた状態を容易に表現することができる。
しかも、装飾具の取り付けに際してポケットなどの内側に侵入させる必要があるのは、開閉式クリップの可動部における接続部から其の先端までの区間に過ぎないので、人形状のキャラクターグッズなどをポケットに入れてキャラクターの顔を外に覗かせる場合とは異なり、ポケットなどの収容能力が損なわれる恐れもない。
【００２０】
更に、プレートの前面の仮想線分上に位置をずらせてキャラクターの２つの手を描くようにすれば、プレートの前面に描かれたキャラクターがポケットなどの上縁部に左右の手で掴って顔や上半身を覗かせたような状態が表現される。
【００２１】
また、キャラクターの少なくとも頭部を含む上半身の一部や其の手を描いた上部プレート部とキャラクターに関連する付加要素を描いた下部プレート部によってプレートを上下一体に形成し、プレートにおける上部プレート部と下部プレート部との連合部の位置に開閉式クリップの接続部の位置を合致させてプレートの裏面に開閉式クリップを固着する構成を適用した場合にあっては、装飾具をポケットなどに取り付けた状態、つまり、開閉式クリップの接続部を洋服やバッグのポケットなどの上縁部に当接させた状態で、キャラクターの頭部を含む上半身の一部を描いた上部プレート部がポケットなどの上縁部の直近の上方に確実に位置するようになるので、キャラクターがポケットなどの陰から顔や上半身を覗かせた状態を、より的確に表現することができるようになる。
しかも、装飾具を正面側から見た状態で、接続部よりも上方の開閉式クリップの部分が、キャラクターの頭部を含む上半身の一部や其の手を描いた上部プレート部によって隠され、更に、接続部よりも下方の開閉式クリップの部分は、キャラクターに関連する付加要素を描いた下部プレート部によって隠されることになるので、見映えの悪い開閉式クリップを露出させることなく、装飾具を洋服やバッグのポケットなどにスマートに装着することができる。
【００２２】
更に、キャラクターに関連する付加要素を描く下部プレート部には、キャラクターに関連するフレーズを記載した吹き出し、または、キャラクターが首周りに備える装身具、例えば、ネクタイ，ペンダント，キャラクターが動物である場合の首輪といったキャラクターの頭部を含む上半身と一体感のあるものを描くようにしているので、接続部よりも下方の開閉式クリップの部分を、下部プレート部によって、違和感なく隠すことができる。
【図面の簡単な説明】
【００２３】
【図１】本考案を適用した一実施形態の装飾具の構成について示した図で、図１（ａ）は装飾具の構成を示した正面図、また、図１（ｂ）はその側面図である。
【図２】同実施形態の装飾具を洋服のポケットに取り付けた状態を示した正面図である。
【図３】同実施形態の装飾具をバッグの開口部に取り付けた状態を示した正面図である。
【図４】同実施形態の装飾具を洋服の首周りに取り付けられたフードに装着した状態を示した正面図である。
【図５】同実施形態の装飾具を使用中の単票用紙などに取り付けて文鎮の代わりとして利用した状態を示した正面図である。
【考案を実施するための形態】
【００２４】
次に本考案を適用した装飾具の一例について図面を参照して具体的に説明する。
【００２５】
図１（ａ）は本考案を適用した一実施形態の装飾具１の構成について示した正面図、また、図１（ｂ）はその側面図である。
【００２６】
この実施形態の装飾具１は、キャラクターを描いたプレート２とプレート２を他の物品たとえばポケットの布などに取り付けるための開閉式クリップ３とによって構成される。
なお、ここでいうキャラクターとは、小説，漫画，映画，アニメーション，コンピュータゲームなどに登場する主要な人物や動物あるいはロボット等に制限されるものではなく、乗り物などを擬人化したものや各種のマスコット等をも包含した概念である。
【００２７】
プレート２は、キャラクターの少なくとも頭部を含む上半身の一部を描いた上部プレート部４と、上部プレート部４に描かれたキャラクターに関連する付加要素を描いた下部プレート部５によって上下一体に形成されている。
下部プレート部５に描かれたキャラクターに関連する付加要素は、この実施形態にあっては、キャラクターに関連するフレーズを記載した吹き出し、すなわち、キャラクターの発する文言である「HELLO WORD」と其の楕円状の囲み枠である。
【００２８】
また、開閉式クリップ３は、プレート２の裏面に固着される固定部６と、固定部６に対して開閉自在に設けられて其の先端７ａをプレート２の裏面に向けて付勢された可動部７と、可動部７を固定部６に接続する接続部８とを備える。
この実施形態では、開閉式クリップ３の接続部８として、可動部７の上部に固定部６の上部を揺動自在に軸支する枢着ピンと、そのピンに環装されて接続部８を中心として図１（ｂ）中でクロックワイズ方向に可動部７を揺動付勢する捩りコイルばねと、前述の枢着ピンを取り付けるために固定部６と可動部７の双方に設けられた半円弧状のクレビスを利用しているが、可動部７の先端７ａをプレート２の裏面に向けて付勢できるものであれば、その構造は問わない。
例えば、弾性を有する帯状の金属材料を２つ折りにしたマネークリップのような構造のものや、これと同等の構造を有する樹脂成形品であってもよい。
【００２９】
開閉式クリップ３の固定部６は、接続部８の位置をプレート２における上部プレート部４と下部プレート部５との連合部９の位置に合致させ、かつ、可動部７の先端７ａを下部プレート部５の側に位置させるようにして、可動部７の先端７ａをプレート２の下方側に向けてプレート２の裏面に固着される。
【００３０】
この実施形態にあっては、吹き出しを描いた下部プレート部５が、キャラクターの頭部を含む上半身の一部を描いた上部プレート部４に対し、図１（ａ）に示される正面視で右側にオフセットされているので、プレート２の裏面に固着される開閉式クリップ３の固着位置も、下部プレート部５のオフセットに合わせて、図１（ａ）に示される正面視で右側にオフセットされている。
【００３１】
プレート２における上部プレート部４には、キャラクターの頭部を含む上半身の一部に加え、更に、キャラクターが備える左右の手１１，１１が、装飾具１の装着対象となる他の物品、たとえば、ポケットなどの上縁部を掴むような姿勢で掌を下に向けて描かれている。
この実施形態にあっては、開閉式クリップ３の接続部８を通って開閉式クリップ３の長手方向（図１（ａ），図１（ｂ）の上下方向）と直交して放射線状を成す無数の仮想直線のうち、プレート２の面と平行となる仮想直線、つまり、図１（ａ）において符号Ｌで示される仮想直線をプレート２の前面にプレート２の法線方向（図１（ａ）の紙面に対する垂直方向）から投影して得られる仮想線分上の２つの位置に左右の手１１，１１を位置をずらせて描いている。
この実施形態では、キャラクターがポケットなどの上縁部に両手で掴った状態を表現することを前提として左右の手１１，１１を描いているが、キャラクターがポケットなどの上縁部に片手で掴った状態を表現する場合にあっては、手１１の数は１つで事足りる。
キャラクターとしては、タコやイカのようなものも想定されるので、描かれる手１１の数は必ずしも１または２とは限らず、それ以上の場合もある。
いずれの場合にあっても、キャラクターがポケットなどの上縁部に掴った状態を表現するとした前提に照らして、キャラクターの手１１のうち少なくとも１つのものは、開閉式クリップ３の接続部８を通って開閉式クリップ３の長手方向と直交する仮想直線のうちプレート２の面と平行となる仮想直線Ｌをプレート２の前面にプレート２の法線方向から投影して得られる仮想線分上の位置に描かれる必要がある。
ここでいう仮想直線や仮想線分は飽くまでもキャラクターの手１１の配置を特定するための仮想の線分であり、例えば、図１（ａ）に符号Ｌで示される二点鎖線のようなものが実際にプレート２の前面に描画されるわけではない。
【００３２】
図２はこの実施形態の装飾具１を洋服１２のポケット１０に取り付けた状態を示した正面図である。
【００３３】
装飾具１をポケット１０に装着する場合は、まず、開閉式クリップ３の接続部８を支点として開閉式クリップ３の可動部７を手の力で開く。
この実施形態の開閉式クリップ３の場合にあっては、可動部７の上端部７ｂが支点となる接続部８を超えて上方に突出しているので、可動部７の上端部７ｂを装飾具１の上部プレート部４の裏面に向けて押し込むようにして指で摘むことにより、容易に開閉式クリップ３の可動部７を開くことができる。
【００３４】
次に、プレート２における上部プレート部４の表面つまりキャラクターの頭部を含む上半身の一部や手を描いた側の面をポケット１０の外側に向けた状態で、開閉式クリップ３の接続部８がポケット１０の上縁部１０ａに当接する位置まで、開閉式クリップ３の可動部７の先端７ａを上から下に向けてポケット１０の内側に突入させて手を放し、開閉式クリップ３の固定部６と開閉式クリップ３の可動部７との間でポケット１０の布を挟むようにして装飾具１をポケット１０に取り付ける。
【００３５】
プレート２の一部を構成する上部プレート部４の前面には、キャラクターの頭部を含む上半身の一部に加え、キャラクターの手１１，１１が、装飾具１の装着対象となる他の物品、たとえば、洋服やバッグのポケットなどの上縁部を掴むような姿勢で描かれているが、これらの手１１，１１は、いずれも開閉式クリップ３の接続部８を通って開閉式クリップ３の長手方向と直交する仮想直線のうちプレート２の面と平行となる仮想直線Ｌをプレート２の前面に其の法線方向から投影して得られる仮想線分上の位置に描かれているので、装飾具１をポケット１０に取り付けて開閉式クリップ３の接続部８をポケット１０の上縁部１０ａに当接させた状態では、前述の仮想線分がポケット１０の上縁部１０ａと一致した状態となり、装飾具１を其の前面から見ると、あたかも、プレート２の前面に描かれたキャラクターがポケット１０の上縁部１０ａに両手で掴って顔や上半身を覗かせたような状態が容易に表現されることになる。
つまり、開閉式クリップ３の接続部８がポケット１０の上縁部１０ａに当接する位置まで開閉式クリップ３の可動部７の先端７ａをポケット１０の内側に突入させるといった極めて簡単な操作によって、プレート２の前面に描かれたキャラクターがポケット１０の上縁部１０ａに掴って顔や上半身を覗かせた状態を、特に意識することなく、極めて容易に表現することができるのである。
【００３６】
また、開閉式クリップ３の接続部８は、キャラクターの頭部を含む上半身の一部や其の手１１，１１を描いた上部プレート部４とキャラクターに関連する付加要素たとえば吹き出しを描いた下部プレート部５とが繋がる連合部９の位置に合致しているので、開閉式クリップ３の接続部８をポケット１０の上縁部１０ａに当接させて装飾具１をポケット１０に取り付けた状況下では、キャラクターの頭部を含む上半身の一部を描いた上部プレート部４がポケット１０の上縁部１０ａの直近の上方に自然と位置することになり、あたかも、キャラクターが其の手１１，１１でポケット１０の上縁部１０ａに掴ってポケット１０の陰から顔や上半身を覗かせたような状態を、より的確に表現することができる。
【００３７】
そして、開閉式クリップ３の主要部、すなわち、接続部８から可動部７の先端７ａまでの区間の可動部７が確実にポケット１０の布などを挟み込むので、キャラクターの頭部を含む上半身の一部や手を描いた上部プレート部４が不用意に手前側（ポケット１０の外側）に倒れ込むといった心配もない。
【００３８】
また、開閉式クリップ３は、接続部８の位置をプレート２における上部プレート部４と下部プレート部５とが繋がる連合部９の位置に合致させてプレート２に取り付けられているので、ポケット１０に装着された装飾具１を正面側から見た状態で、接続部８よりも上方の開閉式クリップ３の部分は、キャラクターの頭部を含む上半身の一部や手１１，１１を描いた上部プレート部４によって隠され、更に、接続部８よりも下方の開閉式クリップ３の部分は、キャラクターに関連する付加要素を描いた下部プレート部５によって隠されることになるので、見映えの悪い開閉式クリップ３を露出させることなく、装飾具１をスマートにポケット１０に装着することができる。
【００３９】
しかも、装飾具１の取り付けに際してポケット１０の内側に侵入させる必要があるのは、開閉式クリップ３の可動部７における接続部８から其の先端７ａまでの区間に過ぎないので、人形状のキャラクターグッズなどをポケットに入れてキャラクターの顔を外に覗かせる場合とは異なり、ポケット１０の収容能力が損なわれる恐れもない。
【００４０】
ここでは、一例として、吹き出しを描いた下部プレート部５について示したが、キャラクターに関連する付加要素を描く下部プレート部５には、キャラクターに関連するフレーズを記載した吹き出しの他、キャラクターが首周りに備える装身具、例えば、ネクタイ，ペンダント，キャラクターが動物である場合の首輪などを利用することができる。
これらのものは何れもキャラクターの頭部を含む上半身と一体感があるので、これらのものを下部プレート部５に描くことにより、接続部８よりも下方の開閉式クリップ３の部分を、違和感なく、下部プレート部５で覆い隠すことができる。
【００４１】
図３は、この実施形態の装飾具１をバッグ１３の開口部１０に取り付けた状態を示した正面図である。
前記と同様、装飾具１を開口部１０に取り付けた状態では、キャラクターの頭部を含む上半身の一部を描いた上部プレート部４が開口部１０の上縁部１０ａの直近の上方に自然と位置することになり、あたかも、キャラクターがバッグ１３の開口部１０から顔や上半身を覗かせ、その手１１，１１で開口部１０の上縁部１０ａに掴っているような状態が容易に表現される。
【００４２】
また、図４は、この実施形態の装飾具１を洋服１２の首周りに取り付けられたフード１４に装着した状態を示した正面図である。
図４のように、洋服１２の首周りに取り付けられたフード１４を洋服１２の外側に折り返して畳んで収納した状態では、フード１４の全体形状が下に凸の袋状となるので、フード１４の前縁部１４ａ、つまり、ポケット１０の上縁部１０ａやバッグ１３の開口部１０における上縁部１０ａに対応する箇所に装飾具１を取り付けることが可能となる。
この場合は、折り返したフード１４に潜り込んだキャラクターが其の手１１，１１でフード１４の前縁部１４ａに掴って顔や上半身を覗かせている状態が容易に表現される。
【００４３】
何れの場合にあっても、装飾具１をポケット１０に取り付けた場合と同様の作用，効果、つまり、上部プレート部４や下部プレート部５を利用した開閉式クリップ３の隠蔽によるスマートな装着を実現することができる。
【００４４】
図５は、この実施形態の装飾具１を使用中の単票用紙１５などに取り付けて文鎮の代わりとして利用した場合の例であり、この場合は、単票用紙１５の紙面裏手に隠れたキャラクターが単票用紙１５の上縁部１５ａに掴って顔や上半身を覗かせている状態が容易に表現される。
【００４５】
装飾具１をノートやルーズリーフなどの詩織として利用する場合にあっては、吹き出し，ネクタイ，ペンダント，首輪などを描いた下部プレート５が手前に位置する紙によって隠されてしまう。
しかし、開閉式クリップ３の接続部８の位置がプレート２における上部プレート部４と下部プレート部５との連合部９の位置に合致していることから、キャラクターの頭部を含む上半身の一部を描いた上部プレート部４を用紙の上縁部から外側に突出させて其の手１１，１１で紙の上縁部に掴った状態を確実に維持することができるメリットがある。
【００４６】
また、更に別の実施形態として、例えば、対象とするキャラクターが鼻先の長いキツネ顔のキャラクター、あるいは、顎の長いキャラクターなどである場合において、プレート２における上部プレート部４にキャラクターの頭部の上部２／３程度（鼻先や顎を除いた部分）を描く一方、プレート２における下部プレート部５にキャラクターの頭部の下部１／３程度（鼻先や顎の部分）を描くといったことも考えられる。
この場合は、接続部８よりも上方の開閉式クリップ３の部分が、キャラクターの頭部の上部を描いた上部プレート部４によって隠され、更に、接続部８よりも下方の開閉式クリップ３の部分は、キャラクターの鼻先や顎を描いた下部プレート部５によって隠されることになる。
【産業上の利用可能性】
【００４７】
本考案は、キャラクターを描いたプレートを備えた装飾具一般に適用可能である。
【符号の説明】
【００４８】
１  装飾具
２  プレート
３  開閉式クリップ
４  上部プレート部
５  下部プレート部
６  固定部
７  可動部
７ａ  先端
７ｂ  上端部
８  接続部
９  連合部
１０  ポケット
１０ａ  上縁部
１１  キャラクターの手
１２  洋服
１３  バッグ
１４  フード
１４ａ  前縁部
１５  単票用紙
１５ａ  上縁部
Ｌ  仮想直線
【図１】
0003194826.tif 000003
【図２】
0003194826.tif 000004
【図３】
0003194826.tif 000005
【図４】
0003194826.tif 000006
【図５】
0003194826.tif 000007